(57)【要約】【課題】水道水等の被混合水と薬剤とを一定濃度に混合でき、混合機構の構造を簡素化できるシャワー用薬液混合装置を提供する。【解決手段】シャワー用薬液混合装置５を、水道水や温水等の被混合水Ｘ１を取り入れて供給する被混合水供給管６と、被混合水Ｘ１とビタミンＣ水溶液等の薬液Ｘ２とを混合してなる混合水Ｙを吐出するシャワー部４との間に混合水Ｙを生成する薬液混合器２を設け、その薬液混合器２に薬液Ｘ２を供給する薬液タンク３を接続して構成する。薬液混合器２を、被混合水供給管６の下流端が接続される上流通路と、シャワー部４に混合水供給管７を介して接続される下流通路と、薬液を貯蔵するための薬液タンク３が接続されると共に被混合水と薬液とを混合する場所としての薬液混合室とから構成し、これらを一体形成する。【選択図】図１
2004222863.tif 000002
【特許請求の範囲】
【請求項１】
水または湯を供給する被混合水供給管とシャワー部との間に薬液混合器を設け、前記薬液混合器に薬液を供給する薬液タンクを接続してなり、薬液混合器を通過する被混合水によって前記薬液を薬液混合器内に引き込むことを特徴とするシャワー用薬液混合装置。
【請求項２】
薬液混合器が、
被混合水供給管に接続された上流通路と、シャワー部に接続された下流通路と、薬液タンクが接続された薬液混合室とを有してなり、
前記上流通路及び前記下流通路が近接するように前記薬液混合室内に突設されてなる請求項１に記載のシャワー用薬液混合装置。
【請求項３】
上流通路および／または下流通路が、絞り形成されてなる請求項１または請求項２に記載のシャワー用薬液混合装置。
【発明の詳細な説明】
【０００１】
【発明の属する技術分野】
本発明は、水道水や給湯器からの温水とビタミンＣ等の薬液とを混合して混合水を生成する薬液混合装置に関し、特に、その混合水を浴室や洗面台等に設置されるシャワー用とするものに関する。
【０００２】
【従来の技術】
従来、ビタミンＣ等の薬剤を混合しシャワー水として用いる技術として、分断したシャワーホースの間にＴ字管を接続し、Ｔ字管の合流穴を装着部にして、装着部に着脱可能に取り付けた溶出剤入り混入容器（例えば、特許文献１参照）が知られている。この混入容器は、開栓してシャワーホースに水流を通すとき、シャワーホース内にかかる水圧を利用することにより、水の一部を混入口から収納部内に入れ、溶出剤を少しずつ溶解させるものである。
【０００３】
また、導入口と吐出口との間に通水路を形成した給水器本体に、薬剤を充填した容器を設け、容器内の水溶液を通水路に注出させる注水口を形成し、通水路を流れる通水により回転駆動されこの回転に応じて１回転中に所定の割合で注水口を開閉するシャッター部材を設けてなる給水器（例えば、特許文献２参照）が知られている。この給水器は、例えばシャワーとして実施されるものであり、通水路に水道水を流すとシャッター部材が回転し、１回転中に所定の割合で注出口を開閉するので、実質的に注水口の開口面積を小さくした場合と同様になり、薬剤の抽出量を規制できるものである。
【０００４】
【特許文献１】
特開平５−２９３０５３号公報
【特許文献２】
特開２００１−１２８８７６号公報
【０００５】
【発明が解決しようとする課題】
ところが、上述の従来の技術のうち、前者は、水流の水圧を利用して溶出剤を溶解させるので、シャワーホースを通る流量が一定であっても、その流量の多少、溶出剤の残量の多少、水流の温度の高低によって、溶出量が変動するため、水流中の薬剤濃度を一定にできない問題点があった。一方後者は、シャッター部材を水流で回転駆動させるため、構造が複雑になる問題点があった。
【０００６】
そこで、本発明の課題は、水道水等の被混合水と薬剤とを一定濃度に混合でき、混合機構の構造を簡素化できるシャワー用薬液混合装置を提供することにある。
【０００７】
【課題を解決するための手段】
上記の課題を解決するために、請求項１に発明によるシャワー用薬液混合装置は、水または湯を供給する被混合水供給管とシャワー部との間に薬液混合器を設け、前記薬液混合器に薬液を供給する薬液タンクを接続してなり、薬液混合器を通過する被混合水によって前記薬液を薬液混合器内に引き込むように構成される。
【０００８】
請求項２の発明によるシャワー用薬液混合装置は、薬液混合器が、被混合水供給管に接続された上流通路と、シャワー部に接続された下流通路と、薬液タンクが接続された薬液混合室とを有してなり、前記上流通路及び前記下流通路が近接するように前記薬液混合室内に突設されるように構成される。
【０００９】
請求項３の発明によるシャワー用薬液混合装置は、上流通路および／または下流通路が、絞り形成されるように構成される。
【００１０】
【発明の実施の形態】
本発明の一実施形態を図面を基に詳細に説明する。図１及び図２に示すように、本シャワー用薬液混合装置５は、水道水や温水等の被混合水Ｘ１を取り入れて供給する被混合水供給管６と、被混合水Ｘ１とビタミンＣ水溶液等の薬液Ｘ２とを混合してなる混合水Ｙを吐出するシャワー部４との間に混合水Ｙを生成する薬液混合器２を設け、その薬液混合器２に薬液Ｘ２を供給する薬液タンク３を接続して構成されている。また、薬液混合器２と薬液タンク３は、ＡＢＳ等の合成樹脂材からなる略直方体形状の箱体（図示略）にまとめて収納されている。
【００１１】
被混合水供給管６の上流端は、被混合水Ｘ１の供給源である給湯器２０に接続されている。また薬液混合器２は、混合水Ｙをシャワー部４に供給するための混合水供給管７を介して、シャワー部４に接続されている。また薬液タンク３は、薬液Ｘ２を薬液混合器２に供給するための薬液供給管８を介して、薬液混合器２に接続されている。薬液供給管８には、供給する薬液量を調整するための開閉弁１４が設けられている。
【００１２】
薬液混合器２は、被混合水供給管６の下流端が接続される上流通路９と、シャワー部４に混合水供給管７を介して接続される下流通路１０と、薬液Ｘ２を貯蔵するための薬液タンク３が接続されると共に被混合水Ｘ１と薬液Ｘ２とを混合する場所としての薬液混合室１１とから構成され、これらが一体形成されている。
【００１３】
上流通路９は、円筒を大径の上流口から小径の下流口へ絞り込んだ、先細り形状に絞り形成され、また下流通路１０は、円筒を小径の上流口から大径の下流口へ広げた、末広がり形状に絞り形成されている。上流通路の出口１２である同下流口と下流通路の入口１３である同上流口とは、円筒形に形成された薬液混合室１１の両側面から室内に突設され、室内略中央部において所要の間隔Ｔで近接するように各軸線を合わせて配置されている。また薬液混合室１１は、上流通路９及び下流通路１０よりも大径に形成されている。
【００１４】
上記構成のシャワー用薬液混合装置５において、給湯器２０で生成された一定量の被混合水Ｘ１が、被混合水供給管６を通り、箱体内の薬液混合器２に供給される。被混合水Ｘ１は、薬液混合器２の上流通路９を通過する際に、先細りの絞り形成によって水流速度を上げ、上流通路の出口１２から薬液混合室１１内に噴出する。そして、噴出した被混合水Ｘ１は、噴出量に対して一定の割合となる量の薬液Ｘ２を薬液混合室１１内に引き込み、噴出の勢いと共に、薬液Ｘ２と混合された一定濃度の混合水Ｙとして、近接配置された下流通路の入口１３から薬液混合室１１外へ排出される。
【００１５】
尚、箱体に設けた薬液量調整つまみ１５を操作して、これに連動する薬液供給管８の開閉弁１４の開閉量を調整すれば、所要量の薬液Ｘ２が、薬液タンク３から薬液混合室１１に供給される。この時、薬液量調整つまみ１５の操作によって、例えば、被混合水Ｘ１としての水道水１０００ｍｌに対して薬液Ｘ２としてのビタミンＣ水溶液２ｍｌを混合し、４％の酸性混合水Ｙが生成される。
【００１６】
排出された混合水Ｙは、下流通路１０を通る際に、末広がりの絞り形成によって水流速度を下げ、薬液混合器２から薬液供給管７を通り、シャワー部４に供給される。そしてシャワー部４から外部に吐出される。
【００１７】
本実施形態のシャワー用薬液混合装置５によれば、薬液混合器２によって、被混合水Ｘ１と薬液Ｘ２とを一定濃度に混合することができる。また、薬液混合器２の混合機構の構造を簡素化することができる。また、薬液混合器２と薬液タンク３を箱体にまとめて収納したので、浴室、洗面所等の設置場所に設置する作業を簡単にでき、見た目を向上できる。さらに、薬液混合器２において、上流通路の出口１２と下流通路の入口１３とを、所要の間隔Ｔをおいて薬液混合室１１内に収容したので、被混合水Ｘ１の流量の多少、薬液の残量の多少、被混合水Ｘ１の温度の高低にかかわらず一定濃度の混合水Ｙを安定して生成することができる。また、薬液混合器２の通路、すなわち上流通路９及び下流通路１０を絞り形成したので、薬液混合器２の混合効率を向上できる。
【００１８】
なお、本発明は上記実施形態に限定されるものではなく、以下に例示するように、本発明の趣旨を逸脱しない範囲で各部の形状並びに構成を適宜に変更して実施することも可能である。
（１）薬液混合器２は、その上流通路のみ、またはその下流通路のみを絞り形成して構成しても良い。この場合の薬液混合器も混合効率を向上できる。
（２）薬液Ｘ２は、ビタミンＣ水溶液に限らず、アスコルビン酸等の他の塩素中和剤水溶液、芳香剤水溶液等を用いても良い。
（３）シャワー用薬液混合装置５の箱体は、直方体形状に限らず、立方体、三角柱、円柱等の他形状であっても良い。
（４）シャワー用薬液混合装置５の箱体の設置面は、水平面でも良いし、鉛直面でも良い。
（５）薬液タンク３をシャワー用薬液混合装置５の箱体内に着脱自在に収納しても良い。この場合には、薬液タンク３のみをシャワー用薬液混合装置５から取出して移動でき、例えば薬液Ｘ２の補充が簡単になる。
（６）シャワー用薬液混合装置５に薬液タンク３内の薬液の残量表示部を設けても良い。
【発明の効果】
以上詳述したように、請求項１の発明によれば、薬液混合器によって、被混合水の流量の多少等にかかわらず被混合水と薬液とを一定濃度に混合し、その混合水をシャワー水として使用することができる。また混合水の混合機構の構造を簡素化することができる。
【００１９】
また、請求項２の発明によれば、上流通路と下流通路とを、近接するように薬液混合室内に突設したので、混合水の混合機構を単純な構造に簡素化できるだけでなく、被混合水の流量にかかわらず一定濃度の混合水をより安定して生成することができる。
【００２０】
また、請求項３の発明によれば、薬液混合器の上流通路および／または下流通路を絞り形成したので、薬液混合器の混合効率を向上できる。
【図面の簡単な説明】
【図１】本発明の構成を示すブロック図である。
【図２】薬液混合器の縦断面図である。
【符号の説明】
２・・薬液混合器、３・・薬液タンク、４・・シャワー部、５・・シャワー用薬液混合装置、６・・被混合水供給管、７・・混合水供給管、８・・薬液供給管、９・・上流通路、１０・・下流通路、１１・・薬液混合室、１２・・上流通路の出口、１３・・下流通路の入口、Ｘ１・・被混合水、Ｘ２・・薬液、Ｙ・・混合水、Ｔ・・所要の間隔。
【図１】
2004222863.tif 000003
【図２】
2004222863.tif 000004